(57)【要約】【課題】中仕切内に断熱材を充填発泡し周辺部品を一体に固着する必要が無く、中仕切への断熱材充填発泡に関わる外箱のヒケ等の外観不良をなくすことができ、断熱材の使用量も減らすことができる冷蔵庫を提供すること。【解決手段】冷蔵庫本体と、この本体の外郭を形成する外箱と、本体の内壁を構成する内箱と、内箱を上下に分割する第一の中仕切と、この第一の中仕切の下側に位置しさらに内箱を上下に分割し、両端を内箱で支持された第二の中仕切と、第一の中仕切と第二の中仕切との間の内箱を左右に分割し、第一の中仕切と第二の中仕切とを連結する第三の中仕切とを備えたものである。【選択図】図４
2007192544.tif 000002
【特許請求の範囲】
【請求項１】
冷蔵庫本体と、
この本体の外郭を形成する外箱と、
前記本体の内壁を構成する内箱と、
前記内箱を上下に分割する第一の中仕切と、
この第一の中仕切の下側に位置しさらに前記内箱を上下に分割し、両端を前記内箱で支持された第二の中仕切と、
前記第一の中仕切と前記第二の中仕切との間の内箱を左右に分割し、前記第一の中仕切と前記第二の中仕切とを連結する第三の中仕切と、
を備えたことを特徴とする冷蔵庫。
【請求項２】
前記第三の中仕切の前側部の上下に、前記第一の中仕切と前記第二の中仕切とに係合する係止片を設けたことを特徴とする請求項１記載の冷蔵庫。
【請求項３】
前記第三の中仕切の前側に、上部を前記第一の中仕切に固定し、下部を前記第二の中仕切に固定した鋼板製の前板を設けたことを特徴とする請求項１又は請求項２記載の冷蔵庫。
【請求項４】
前記第三の中仕切で仕切られた両貯蔵室に設けた引き出し扉と、
前記第二の中仕切に一体に形成され、前記両貯蔵室の内側に対向して設けられた左右一対の引き出しレール部と、
前記引き出し扉に取り付けられた左右一対のフレームと、
このフレームの後端に設けられた移動ローラと、
前記フレームを下方より支持し、前記第二の中仕切の前方に配置された固定ローラと、を備えたことを特徴とする請求項１乃至３のいずれかに記載の冷蔵庫。
【請求項５】
前記第三の中仕切は、前記第二の中仕切と分割して構成されたことを特徴とする請求項１乃至４のいずれかに記載の冷蔵庫。
【発明の詳細な説明】
【技術分野】
【０００１】
この発明は、冷蔵庫の中仕切構造に係わり、左右に並んだ貯蔵室を備えた冷蔵庫に関するものである。
【背景技術】
【０００２】
図５乃至図１０は、従来の冷蔵庫を示す図である。
図において、１は冷蔵庫本体、２は鋼板製の外箱、３は合成樹脂を真空成形にて成型した内箱、４は内箱上段に形成された第一の貯蔵室、５は第一の貯蔵室４の下段に略Ｌ字形に形成された第二の貯蔵室、６は内箱の最下段に形成された第三の貯蔵室、７は内箱３の第一の貯蔵室４の下段で略Ｌ字形の第二の貯蔵室５の角部内側に開口した角穴、４５はこの角穴７に配置された合成樹脂を射出成形にて成形した小内箱で、第四の貯蔵室８を形成する。
【０００３】
９は内箱３の間口を第二の貯蔵室５の上部で第四の貯蔵室８の高さに合わせて区画し、内箱３の間口の第一乃至第四の貯蔵室間を仕切る正面より略エ字形状の合成樹脂製の前仕切、１０は第二の貯蔵室５の上部の区画の内箱３の左右に形成されたレール取り付け部１１に配置された左右一対のレール、１２は小内箱４５に一体成形された左右一対のレール部、１３は前仕切９の凹部１４に軸１５を介して回動自在に取り付き、レール１０及びレール部１２の前部に配置された固定ローラ、１６は前仕切９内の前部断熱材、１７、１８、１９は断面略コ字形状を成し前仕切り９に装着する鋼板製の第一、第二、第三の前板、２０はポリウレタン等の断熱材で内箱３の第一乃至第四の貯蔵室間の空間及び外箱２と内箱３第四の貯蔵室間に充填発泡されている。
【０００４】
２１は第一の貯蔵室扉、２２は第二の貯蔵室５の上部の区画部のレール１０にフレーム２３、移動ローラ４６を介して引き出し自在に取り付けられた引き第二の貯蔵室引き出し小扉、２４は前記第二の貯蔵室引き出し小扉２２と水平に位置し第四の貯蔵室８のレール部１２にフレーム２３、移動ローラ４６を介して引き出し自在に取り付けられた第四の貯蔵室引き出し扉、２５は第二の貯蔵室扉、２６は第三の貯蔵室扉である。
【０００５】
従来の冷蔵庫は以上のように構成されており、第一乃至第四の貯蔵室間には断熱材２０が充填発泡されそれぞれ隣接する貯蔵室と異なる温度帯を構成している。
内箱３の第四の貯蔵室８前仕切りは断熱材２０が一体に固着して筺体の強度を確保しており、レール１０も内箱３のレール取り付け部１１に断熱材２０が充填されることにより取り付け強度が得られ、第二の貯蔵室引き出し小扉２２第四の引き出し扉２４の使用時の強度が確保されている。
第二の貯蔵室引き出し小扉２２と第四の貯蔵室引き出し扉２４は左右に水平に配置されており、互いの扉の取り付け位置は内箱３レール１０小内箱４５前仕切り９の組立位置精度で決定する。
【特許文献１】特開平０２−２４７４７３号公報
【特許文献２】特開平０１−１８９４８２号公報
【特許文献３】特開平１０−００９７６２号公報
【特許文献４】特開平０２−１５７５８２号公報
【特許文献５】特開平０５−１１８７４２号公報
【発明の開示】
【発明が解決しようとする課題】
【０００６】
従来の冷蔵庫は以上のように構成されているので、各貯蔵室間の断熱の確保及び第二の貯蔵室引き出し小扉２２と第四の貯蔵室引き出し扉２４の取り付けに係わる強度の確保は断熱材２０充填発泡に頼るもので、充填に際しては第四の貯蔵室８の左側面部は左右からの断熱材の流れが屈曲するので充填されにくく、又、左右側面部の断熱材は中央に引き込まれるため部分的に断熱材密度が低くなり、断熱材２０の収縮により外箱２の外観にヒケを生ずる等の問題があり、解決策として断熱材の充填量を増加させる等の対応がとられたため、断熱材２０の使用量が増加しコスト高であり、品質も不安定であった。
【０００７】
さらに第二の貯蔵室引き出し小扉２２と第四の貯蔵室引き出し扉２４の取り付け位置は、内箱３レール１０小内箱４５前仕切り９等多部品の組立位置精度により決定するので、組立バラツキが大きく左右の扉で位置がずれる等の外観不良の原因となっていた。
【０００８】
この発明は、かかる問題点を解消するためになされたもので、中仕切内に断熱材を充填発泡し周辺部品を一体に固着する必要が無く、中仕切への断熱材充填発泡に関わる外箱のヒケ等の外観不良をなくすことができ、断熱材の使用量も減らすことができる冷蔵庫を提供することを目的とする。
また、左右に並んだ二つの扉は段差が生ずること無く平行に取り付く等安価で品質の良い冷蔵庫を提供することを目的とする。
さらに、第三の中仕切は第二の中仕切と分割して構成し、第二の中仕切は高さが低く抑えられ金型が小型化となり経済的な冷蔵庫を提供することを目的とする。
【課題を解決するための手段】
【０００９】
この発明に係る冷蔵庫は、冷蔵庫本体と、この本体の外郭を形成する外箱と、本体の内壁を構成する内箱と、内箱を上下に分割する第一の中仕切と、この第一の中仕切の下側に位置しさらに内箱を上下に分割し、両端を内箱で支持された第二の中仕切と、第一の中仕切と第二の中仕切との間の内箱を左右に分割し、第一の中仕切と第二の中仕切とを連結する第三の中仕切とを備えたものである。
【発明の効果】
【００１０】
この発明に係る冷蔵庫は、第二の中仕切は第三の中仕切により連結固定されているので、中仕切内に断熱材を充填発泡し周辺部品を一体に固着する必要が無くなったので、中仕切への断熱材充填発泡に関わる外箱のヒケ等の外観不良をなくすことが可能となり、断熱材の使用量も減らすことができる。
【発明を実施するための最良の形態】
【００１１】
実施の形態１．
以下、この発明の実施の形態１を図に基づいて説明する。
図１はこの発明の実施の形態１による冷蔵庫を第四の貯蔵室で切断した断面図、図２は実施の形態１による冷蔵庫の第四の貯蔵室を第四の引き出し扉を除いて前方より見た正面図断面図、図３は実施の形態１による冷蔵庫の第一の中仕切上板、第二の中仕切上板と第三の中仕切右板の嵌合状態を示す正面図、図４は実施の形態１による冷蔵庫の第二の中仕切と第三の中仕切周辺の構成を示す分解図である。
【００１２】
図１乃至４図において、従来の冷蔵庫と同一又は相当部分については同一符号を付して説明は省略する。
２７は内箱３を上下に分割し第一の貯蔵室４を区画する第一の中仕切、２８は第一の中仕切上板、２９は第一の中仕切下板、３０は第一の中仕切２７内の発泡スチロール製の断熱材、３１は第一の中仕切２７下側に位置しさらに内箱３を分割する第二の中仕切、３２は第二の中仕切上板、３３は第二の中仕切上板３２上を任意の位置で左右に区画する土手部、３４は第二の中仕切下板、３５は土手部３３より右側の第二の中仕切内に配置された発泡スチロール製の断熱材である。
【００１３】
３ａは第二の中仕切３１の両側を下方より支持する内板３より凸出した仕切受け部、３４ａは第二の中仕切下板３４の両側下方に延出した下フランジ、３４ｂは下フランジ３４ａに開口したネジ穴、４１は前記下フランジ３４ａの内箱３を挟んで裏側に配置されたネジ板、４２は第二の中仕切下板３４の下フランジ３４ａのネジ穴３４ｂをネジ板４２に締結するネジである。
【００１４】
３６は第二の中仕切３２の土手部３３に位置し第一、第二の中仕切間を左右に分割し第二、第四の貯蔵室５、８を区画する第三の中仕切で、第二の貯蔵室５は第二の中仕切３２の土手部３３より左側を上下に貫通した貫通口４３で、上下貯蔵室がつながり第二の貯蔵室５は略Ｌ字形を成している。
【００１５】
３７は箱形状の第三の中仕切右板、３７ａは第三の中仕切右板３７前側部左右縦方向の前フランジ、３７ｂは前フランジ３７ａ上部で内側に向かい合った係止片で、第一の中仕切上板２８下部の凸部２８ａの外側に向かって突き出た係止片２８ｂに嵌合係止されている。
【００１６】
３７ｃは前フランジ３７ａ下部で外側に向かって突き出た係止片で、第二の中仕切上板３２の上下の横方向の前フランジ３２ａの上部切り欠き部３２ｂに嵌合係止されている。３７ｄは第三の中仕切右板３７の後端下部の係止爪で、第二の中仕切上板３２の土手部３３の後部の爪穴３２ｃに嵌合係止されている。
【００１７】
３８は第三の中仕切左板、３９は発泡スチロール製の断熱材である。１６は各中仕切前部の前部断熱材、１７は第一の中仕切上板２８の前フランジ２８ｃ内に配置された前板、１９は第三の中仕切右板３７の前フランジ３７ａに装着した前板で上下にネジ穴１９ａが設けられ上部が第一の中仕切上板２８下部の凸部２８ａに開孔したネジ穴２８ｄにネジ４０により締結され、下部は第二の中仕切上板３２の土手部３３より延出し、第三の中仕切右板３７のボス穴３７ｅを貫通したボス３２ｄにネジ４０により締結されている。
【００１８】
１２は第二の中仕切上板３２の土手部３３の左右にそれぞれに内側に開口して左右一対に設けられたレール部、１３は第二の中仕切上板３２の凹部１４に軸１５を介して回動自在に取り付きレール部１２の前部に配置された固定ローラである。
【００１９】
２０は外箱２内箱３間の空間に充填発泡されたポリウレタン等の断熱材である。
２１は第一の貯蔵室扉、２２は第二の中仕切上板３２土手部３３の左側のレール部１２にフレーム２３移動ローラ４６を介して引き出し自在に取り付く第二の貯蔵室引き出し小扉、２４は前記第二の貯蔵室引き出し扉２２水平に位置し土手部３３の右側のレール部１２にフレーム２３移動ローラを介して引き出し自在に取り付く第四の貯蔵室引き出し扉、２５は第二の貯蔵室扉、２６は第三の貯蔵室扉である。
【００２０】
この実施の形態による冷蔵庫は以上のように構成されており、第一、第二、第４の貯蔵室間は第一の中仕切２７、第二の中仕切３１、第三の中仕切３６で区画され、それぞれの中仕切内に配置された断熱材３０、３５、３９でで断熱され、隣接する貯蔵室と異なる温度帯を構成している。
【００２１】
第二の中仕切３１は両側が内箱３の仕切受け３ａで支えられ、第一の中仕切２７と第二の中仕切３１は第三の中仕切右板３７上下の係止片３７ｂ、３７ｃが第一の中仕切上板２８下部の係止片２８ｂと第二の中仕切上板３２の切り欠き部３２ｂに勘合係止して連結され、更に第一の中仕切２７と第二の中仕切３１は、前板１９上下のネジ穴１９ａが第一の中仕切上板２８下部のネジ穴２８ｄと第二の中仕切上板３２のボス３２ｄにネジ４０により締結され連結固定されているので、特に第二の貯蔵室引き出し小扉２２と第四の貯蔵室引き出し扉２４を引き出した際固定ローラ１３を介して第二の中仕切上板３２前部に大きな加重が加わるが、第二の中仕切３１は十分な強度を有して取り付けられる。
第二の貯蔵室引き出し小扉２２と第四の貯蔵室引き出し扉２４は、第二の中仕切上板３２に一体に成形されたレール部にフレーム２３を介して２つの扉は水平に取り付けられている。
【００２２】
この発明の実施の形態に係る冷蔵庫は、第三の中仕切の前側部の上下に、第一の中仕切と第二の中仕切とに係合する係止片を設けたものである。
【００２３】
この発明の実施の形態に係る冷蔵庫は、第三の中仕切の前側に、上部を第一の中仕切に固定し、下部を第二の中仕切に固定した鋼板製の前板を設けたものである。
【００２４】
この発明の実施の形態に係る冷蔵庫は、第三の中仕切で仕切られた両貯蔵室に設けた引き出し扉と、第二の中仕切に一体に形成され、両貯蔵室の内側に対向して設けられた左右一対の引き出しレール部と、引き出し扉に取り付けられた左右一対のフレームと、このフレームの後端に設けられた移動ローラと、フレームを下方より支持し、第二の中仕切の前方に配置された固定ローラとを備えたものである。
【００２５】
この発明の実施の形態に係る冷蔵庫は、第三の中仕切は、第二の中仕切と分割して構成されたものである。
【００２６】
この発明の実施の形態に係る冷蔵庫は、第二の中仕切は前板により連結固定されているので、中仕切内に断熱材を充填発泡し周辺部品を一体に固着する必要が無くなったので、中仕切への断熱材充填発泡に関わる外箱のヒケ等の外観不良をなくすことが可能となり、断熱材の使用量も減らすことができる。
【００２７】
この発明の実施の形態に係る冷蔵庫は、第三の中仕切で仕切られた両貯蔵室に設けた引き出し扉と、第二の中仕切に一体に形成され、両貯蔵室の内側に対向して設けられた左右一対の引き出しレール部と、引き出し扉に取り付けられた左右一対のフレームと、このフレームの後端に設けられた移動ローラと、フレームを下方より支持し、第二の中仕切の前方に配置された固定ローラとを備えた構成にしたので、二つの引き出し扉は段差が生ずること無く平行に取り付く等安価で品質の良い冷蔵庫を提供できる。
【００２８】
この発明の実施の形態に係る冷蔵庫は、第三の中仕切は第二の中仕切と分割して構成されるので、第二の中仕切は高さが低く抑えられ、金型が小型化され経済的である。
【図面の簡単な説明】
【００２９】
【図１】この発明の実施の形態１による冷蔵庫を第四の貯蔵室で切断した断面図である。
【図２】この発明の実施の形態１による冷蔵庫の第四の貯蔵室を第四の引き出し扉を除いて前方より見た正面断面図である。
【図３】この発明の実施の形態１による冷蔵庫の第一の中仕切上板、第二の中仕切上板と第三の中仕切右板の勘合状態を示す正面図である。
【図４】この発明の実施の形態１による冷蔵庫の第二の中仕切と第三の中仕切周辺の構成を示す分解図である。
【図５】従来の冷蔵庫の正面図である。
【図６】図５のＩ−Ｉ線断面図である。
【図７】従来の冷蔵庫を第二の貯蔵室上部で切断した断面図である。
【図８】従来の冷蔵庫を第四の貯蔵室で切断した断面図である。
【図９】従来の冷蔵庫の内箱とレールの部分斜視図である。
【図１０】従来の冷蔵庫の内箱、第四の貯蔵室と前仕切りを示す斜視図である。
【符号の説明】
【００３０】
１  冷蔵庫本体、２  外箱、３  内箱、３ａ  仕切受け部、４  第一の貯蔵室、５  第二の貯蔵室、６  第三の貯蔵室、７  角穴、８  第四の貯蔵室、９  前仕切り、１０  レール、１１  レール取り付け部、１２  レール部、１３  固定ローラ、１４  凹部、１５  軸、１６  前部断熱材、１７  第一の前板、１８  第二の前板、１９  第三の前板、１９ａ  ネジ穴、２０  断熱材、２１  第一の貯蔵室扉、２２  第二の貯蔵室引き出し扉、２３  フレーム、２４  第四の貯蔵室引き出し扉、２５  第二の貯蔵室扉、２６  第三の貯蔵室扉、２７  第一の中仕切、２８  第一の中仕切上板、２８ａ  凸部、２８ｂ  係止片、２８ｃ  前フランジ、２８ｄ  ネジ穴、２９  第一の中仕切下板、３０  断熱材、３１  第二の中仕切、３２  第二の中仕切上板、３２ａ  横フランジ、３２ｂ  切り欠き部、３２ｃ  爪穴、３２ｄ  ボス、３３  土手部、３４  第二の中仕切下板、３４ａ  下フランジ、３４ｂ  ネジ穴、３５  断熱材、３６  第三の中仕切、３７  第三の中仕切右板、３７ａ  前フランジ、３７ｂ  係止片、３７ｃ  係止片、３７ｄ  係止爪、３７ｅ  ボス穴、３８  第三の中仕切左板、３９  断熱材、４０  ネジ、４１  ネジ板、４２  ネジ、４３  貫通孔、４５  小内箱、４６  移動ローラ。
【図１】
2007192544.tif 000003
【図２】
2007192544.tif 000004
【図３】
2007192544.tif 000005
【図４】
2007192544.tif 000006
【図５】
2007192544.tif 000007
【図６】
2007192544.tif 000008
【図７】
2007192544.tif 000009
【図８】
2007192544.tif 000010
【図９】
2007192544.tif 000011
【図１０】
2007192544.tif 000012